(57)【要約】【課題】電源回路の故障による部品の発熱により、部品を封止している封止材が変質することを防止した電源監視機能付き制御ユニットを提供する。【解決手段】電源監視機能付き制御ユニット１ａは、商用電源２から電源回路３０に所定の上限電流以上の電流が流れたときに、商用電源２から電源回路３０への電力供給を禁止する漏電対処部１０ａと、封止材により封止されて、電源回路３０から供給される電力により作動し、電源回路の出力電圧が定格よりも高い上限電圧１５Ｖ以上になったときに、漏電対処部１０ａを強制的に作動させて、商用電源２から電源回路３０への電力供給を禁止する電源監視部５１，５７，６５を有する制御回路５０ａとを備える。【選択図】  図１
2015154668.tif 000002
【特許請求の範囲】
【請求項１】
外部電源から供給される電力から、所定電圧の電力を生成する電源回路と、
前記外部電源から前記電源回路に所定の上限電流以上の電流が流れたときに、前記外部電源から前記電源回路への電力供給を禁止する漏電対処部と、
封止材により封止されて、前記電源回路から供給される電力により作動し、前記電源回路の出力電圧が前記所定電圧よりも高い上限電圧以上になったときに、前記漏電対処部を強制的に作動させて、前記外部電源からの電力供給を禁止する電源監視部を有する制御回路と
を備えたことを特徴とする電源監視機能付き制御ユニット。
【請求項２】
請求項１に記載の電源監視機能付き制御ユニットにおいて、
前記外部電源と前記電源回路とは第１電源ライン及び第２電源ラインにより接続され、
前記制御回路と前記電源回路と前記漏電対処部とが同一基板上に構成され、
前記電源監視部は、前記電源回路の出力電圧が前記上限電圧以上になったときに強制遮断指示信号を出力する電圧監視部と、前記電源回路からの供給電力により作動して、前記電圧監視部から前記強制遮断指示信号が出力されたときに、前記第１電源ラインと前記第２電源ライン間を導通させて前記漏電対処部を強制的に作動させる強制遮断部とを有することを特徴とする電源監視機能付き制御ユニット。
【請求項３】
請求項２に記載の電源監視機能付き制御ユニットにおいて、
前記制御回路は、使用者により操作される遮断スイッチを有し、
前記強制遮断部は、前記電源監視部から前記強制遮断指示信号が出力されたとき、又は前記遮断スイッチが操作されたときに、前記第１電源ラインと前記第２電源ライン間を導通させて前記漏電対処部を強制的に作動させることを特徴とする電源監視機能付き制御ユニット。
【請求項４】
請求項１に記載の電源監視機能付き制御ユニットにおいて、
前記外部電源と前記電源回路とは第１電源ライン及び第２電源ラインにより接続され、
前記漏電対処部は、前記制御回路と別体に構成され、
前記第１電源ラインが所定の共通電位部に導通し、
前記電源監視部は、前記電源回路の出力電圧が前記上限電圧以上になったときに強制遮断指示信号を出力する電圧監視部と、前記電源回路からの供給電力により作動して、前記電圧監視部から前記強制遮断指示信号が出力されたときに、前記第２電源ラインを前記共通電位部に導通させて前記漏電対処部を強制的に作動させる強制遮断部とを有することを特徴とする電源監視機能付制御ユニット。
【発明の詳細な説明】
【技術分野】
【０００１】
本発明は、外部電源から供給される電力により所定電圧を生成する電源回路の出力電圧を監視する電源監視機能付き制御ユニットに関する。
【背景技術】
【０００２】
従来より、商用電源等の外部電源に接続される漏電遮断回路を構成する部品群と、漏電遮断回路を介して外部電源から供給される電力により直流電力を生成する電源回路を構成する部品群と、電源回路からの給電により制御動作を行う制御回路を構成する部品群とを、同一の基板に実装して蓋付きの単一ケース内に収容した制御ユニットが提案されている（例えば、特許文献１参照）。
【０００３】
特許文献１に記載された制御ユニットに備えられた漏電遮断回路は、商用電源に接続されたホット側電源ラインとアース側電源ラインに不平衡電流が流れているときに、漏電が生じていると判断して、外部電源と制御回路間を接続する遮断リレーの接点を遮断状態にしている。
【先行技術文献】
【特許文献】
【０００４】
【特許文献１】特許第４１５５０１７号公報
【発明の概要】
【発明が解決しようとする課題】
【０００５】
制御装置においては、絶縁性や耐湿性を高めるために実装部品を封止材により封止（ポッティング）することが広く行われている。そして、制御装置の作動用電力を供給する電源回路（外部電源から供給される電力から所定電圧の直流電力を生成するスイッチング電源等）の故障により電源回路の出力電圧が上昇した場合に、制御装置の構成部品が過電流により過熱して構成部品を封止している封止材が変質し、封止材の性能が低下するおそれがある。
【０００６】
ここで、上記特許文献１に記載された制御ユニットにおいては、商用電源の漏電には対処することができるものの、電源回路の故障により制御装置の構成部品が過熱した状態になっても、商用電源の漏電が生じない限りこの状態を解消することができない。
【０００７】
本発明はかかる背景に鑑みてなされたもであり、電源回路の故障による部品の過熱により、部品を封止している封止材の性能が低下することを防止した電源監視機能付き制御ユニットを提供することを目的とする。
【課題を解決するための手段】
【０００８】
本発明は上記目的を達成するためになされたものであり、本発明の電源監視機能付き制御ユニットは、
外部電源から供給される電力から、所定電圧の電力を生成する電源回路と、
前記外部電源から前記電源回路に所定の上限電流以上の電流が流れたときに、前記外部電源から前記電源回路への電力供給を禁止する漏電対処部と、
封止材により封止されて、前記電源回路から供給される電力により作動し、前記電源回路の出力電圧が前記所定電圧よりも高い上限電圧以上になったときに、前記漏電対処部を強制的に作動させて、前記外部電源からの電力供給を禁止する電源監視部を有する制御回路と
を備えたことを特徴とする。
【０００９】
かかる本発明によれば、前記電源回路の故障が生じて前記電源回路の出力電圧が前記所定電圧以上になったときに、前記電源監視部により、前記電源回路の出力電圧が前記上限電圧以上になった段階で前記外部電源から前記電源回路への電力供給が禁止される。そのため、前記電源回路から前記制御回路に前記上限電圧以上の電圧の電力が供給されて前記制御回路を構成する電子部品が過熱し、この過熱によって前記制御回路を封止した封止材の性能が低下することを防止することができる。
【００１０】
また、前記外部電源と前記電源回路とは第１電源ライン及び第２電源ラインにより接続され、
前記制御回路と前記電源回路と前記漏電対処部とが同一基板上に構成され、
前記電源監視部は、前記電源回路の出力電圧が前記上限電圧以上になったときに強制遮断指示信号を出力する電圧監視部と、前記電源回路からの供給電力により作動して、前記電圧監視部から前記強制遮断指示信号が出力されたときに、前記第１電源ラインと前記第２電源ライン間を導通させて前記漏電対処部を強制的に作動させる強制遮断部とを有することを特徴とする。
【００１１】
この構成によれば、前記制御回路と前記電源回路と前記漏電対処部とが同一基板上に構成されているため、前記電源回路からの供給電力により作動する前記強制遮断部を容易に構成することができる。
【００１２】
また、前記制御回路は、使用者により操作される遮断スイッチを有し、
前記強制遮断部は、前記電源監視部から前記強制遮断指示信号が出力されたとき、又は前記遮断スイッチが操作されたときに、前記第１電源ラインと前記第２電源ライン間を導通させて前記漏電対処部を強制的に作動させることを特徴とする。
【００１３】
この構成によれば、前記漏電対処部の作動確認のための前記遮断スイッチを前記制御回路に設ける仕様とした場合に、前記遮断スイッチの操作に応じて前記漏電対処部を強制的に作動させる機能を、前記強制遮断部を流用して実現することにより、この機能を別個の構成で実現する場合に比べて部品点数を削減することができる。
【００１４】
また、前記外部電源と前記電源回路とは第１電源ライン及び第２電源ラインにより接続され、
前記漏電対処部は、前記制御回路と別体に構成され、
前記第１電源ラインが所定の共通電位部に導通し、
前記電源監視部は、前記電源回路の出力電圧が前記上限電圧以上になったときに強制遮断指示信号を出力する電圧監視部と、前記電源回路からの供給電力により作動して、前記電圧監視部から前記強制遮断指示信号が出力されたときに、前記第２電源ラインを前記共通電位部に導通させて前記漏電対処部を強制的に作動させる強制遮断部とを有することを特徴とする。
【００１５】
この構成によれば、前記漏電対処部が前記制御回路と別体とされた場合に、前記制御回路側の作動により、前記漏電対処部を強制的に作動させる構成を簡易に実現することができる。
【図面の簡単な説明】
【００１６】
【図１】第１実施形態の電源監視機能付き制御ユニットの構成図。
【図２】第２実施形態の電源監視機能付き制御ユニットの構成図。
【図３】第３実施形態の電源監視機能付き制御ユニットの構成図。
【発明を実施するための形態】
【００１７】
本発明の実施形態について、図１〜図３を参照して説明する。
【００１８】
［第１実施形態］
先ず、図１を参照して第１実施形態の電源監視機能付き制御ユニット１ａ（以下、単に制御ユニット１ａという）について説明する。制御ユニット１ａは、同一基板上に、漏電対処部１０ａ、電源回路３０、及び制御回路５０ａを実装して構成されている。制御回路５０ａの部品の実装箇所は、絶縁性及び耐湿性等を高めるために封止材により全面的に封止されている。
【００１９】
漏電対処部１０ａは、商用電源２（例えば交流１００Ｖの電力を供給する。本発明の外部電源に相当する）と端子台５を介して接続され、商用電源２の非接地電源ラインＬ（ライブ、本発明の第１電源ラインに相当する）側の接続ライン１７ａの途中に設けられたＬ側リレー接点１１ａと、商用電源２の接地電源ラインＮ（ニュートラル、本発明の第２電源ラインに相当する）側の接続ライン１７ｂの途中に設けられたＮ側リレー接点１１ｂとを有する遮断リレー１１と、非接地電源ラインＬ及び接地電源ラインＮに流れる電流を検出する電流センサ１２と、ＬＥＤ１４と、遮断リレー１１のＯＮ（導通）／ＯＦＦ（遮断）とＬＥＤ１４の点灯／消灯を制御する漏電遮断制御部１３と、端子台５とＬ側リレー接点１１ａとの間に接続されたヒューズ１５と、非接地電源ラインＬと接地電源ラインＮ間に接続されたバリスタ１６とを備えている。遮断リレー１１のＬ側リレー接点１１ａとＮ側リレー接点１１ｂとは、連動して導通状態と遮断状態とに切替わる。
【００２０】
漏電遮断制御部１３は、マイクロコンピュータ或いはロジック回路により構成され、電流センサ１２による検出電流が所定の上限電流（漏電検知レベル）以上になったときに、遮断リレー１１をＯＦＦ（Ｌ側リレー接点１１ａとＮ側リレー接点１１ｂが共に開いた状態）して、商用電源２から電源回路３０への電力供給を禁止する。
【００２１】
また、漏電遮断制御部１３は、遮断リレー１１をＯＦＦした後に、復帰入力部１３ａが接地電源ラインＮに導通されたときには、遮断リレー１１をＯＮ（Ｌ側リレー接点１１ａとＮ側リレー接点１１ｂが共に閉じた状態）に復帰させる。さらに、漏電遮断制御部１３は、遮断リレー１１がＯＮであるときはＬＥＤ１４を点灯し、遮断リレー１１がＯＦＦであるときにはＬＥＤ１４を消灯する。
【００２２】
第１実施形態では、後述する制御回路５０ａのフォトカプラ６４の動作により、受光トランジスタ６４ｂを介して復帰入力部１３ａが接地電源ラインＮに導通される。また、フォトカプラ６５の動作により、抵抗１９と受光トライアック６５ｂを介して非接地電源ラインＬと接地電源ラインＮとが導通される。
【００２３】
電源回路３０は、トランス３３、全波整流回路３１、ダイオード（半波整流回路）３５、コンデンサ３２，３４、スイッチング電源制御部３６、及びサージアブソーバ１８を備えている。
【００２４】
商用電源２かトランス３３にから供給される交流電力は、全波整流回路３１で整流されると共にコンデンサ３２により平滑化されて電圧Ｖd1の直流電力が生成される。スイッチング電源制御部３６は、トランス３３の１次側コイル３３ａに流れる電流の通電と遮断を切り替える（スイッチング動作）ことにより、直流電力Ｖd1を降圧する。トランス３３の２次側コイル３３ｂに生じる電力は、ダイオード３５により整流されると共にコンデンサ３４で平滑化されて、電圧Ｖd2（例えば１２Ｖ、本発明の所定電圧に相当する）の直流電力が生成される。
【００２５】
スイッチング電源制御部３６は作動禁止入力部３６ａを有し、作動禁止入力部３６ａがトランス３３の一次側の第１基準電位ＧＮ1に導通されているときに、スイッチング動作を停止する。
【００２６】
サージアブソーバ１８は、電源回路３０をサージ電流等から保護するためのものであり、トランス３３の１次側コイル３３ａの非接地電源回路Ｌ側と接地電位部（筐体アース部、本発明の共通電位部に相当する）ＦＧ間に接続されている。
【００２７】
制御回路５０ａは、第２直流電圧Ｖｄ2の電力を降圧して第３直流電圧Ｖｄ3（例えば５Ｖ、本発明の所定電圧に相当する）の直流電力を生成する降圧回路５４と、第２直流電圧Ｖｄ2を監視する第１電圧監視部５１と、第３直流電圧Ｖｄ3を監視する第２電圧監視部５２と、ＣＰＵ５５と、リセット回路５６と、遮断スイッチ７０及び復帰スイッチ７１等を備えている。
【００２８】
遮断スイッチ７０は、第２直流電圧Ｖｄ2と第２基準電位ＧＮ2との間に、抵抗６１及びフォトカプラ６５の発光ダイオード６５ａと直列に接続されている。使用者が遮断スイッチ７０を操作すると、遮断スイッチ７０の接点が導通状態となって発光ダイオード６５ａが発光し、フォトカプラ６５の受光トライアック６５ｂがＯＮ（導通状態）になる。
【００２９】
これにより、抵抗１９を介して非接地電源ラインＬと接地電源ラインＮが短絡し、漏電遮断制御部１３により遮断リレー１１がＯＦＦされて、商用電源２から電源回路３０への電力供給が停止する。
【００３０】
復帰スイッチ７１は、第２直流電圧Ｖｄ2と第２基準電位ＧＮ2との間に、ダイオード６０、抵抗６３、及びフォトカプラ６４の発光ダイオード６４ａと直列に接続されている。ダイオード６０と抵抗６３の接続箇所と第２基準電位ＧＮ2間にはコンデンサ６２が接続され、電源回路３０から第２直流電圧Ｖｄ2が出力されているときに充電される。
【００３１】
上述したように、遮断スイッチ７０が操作されると商用電源２から電源回路３０への電力供給が停止するが、コンデンサ６２は充電された状態になっている。そのため、使用者が復帰スイッチ７１を操作して復帰スイッチ７１の接点がＯＮすると、コンデンサ６２から抵抗６３を介して発光ダイオード６４ａに通電される。これにより、フォトカプラ６４の受光トランジスタ６４ｂがＯＮして、漏電遮断制御部１３の復帰入力部１３ａが接地電源ラインＮに短絡され、漏電遮断制御部１３は遮断リレー１１をＯＮ状態に復帰させる。
【００３２】
第１電圧監視部５１は、第２直流電圧Ｖｄ2の出力部とトランジスタ８３，５７の制御入力端子間に、抵抗８４とツェナーダイオード８５を直列に接続して構成されている。ツェナーダイオード８５は、端子間電圧が１５Ｖ（本発明の上限電圧に相当する）以上になったときにＯＦＦ（遮断状態）からＯＮ（導通状態）に切替わる。
【００３３】
トランジスタ８３の出力端子は、抵抗８０と並列に接続されたフォトカプラ８２の発光ダイオード８２ａ及び抵抗８１を介して第２直流電圧Ｖｄ2の出力部に接続されている。また、トランジスタ５７の出力端子は、フォトカプラ６５の発光ダイオード６５ａと遮断スイッチ７０との接続部に接続されている。
【００３４】
ツェナーダイオード８５がＯＦＦであるときは、トランジスタ８３，５７の制御入力端子に通電されないため、トランジスタ８３，５７がＯＦＦしてフォトカプラ８２の発光ダイオード８２ａ及びフォトカプラ６５の発光ダイオード６５ａに通電されず、フォトカプラ８２の受光トランジスタ８２ｂ及びフォトカプラ６５の受光トライアック６５ｂがＯＦＦ状態に維持される。
【００３５】
一方、ツェナーダイオード８５がＯＮであるときには、トランジスタ８３，５７に通電されてトランジスタ８３，５７がＯＮし、フォトカプラ８２の発光ダイオード８２ａ及びフォトカプラ６５の発光ダイオード６５ａに通電されて、フォトカプラ８２の受光トランジスタ８２ｂ及びフォトカプラ６５の受光トライアック６５ｂがＯＮ状態になる。
【００３６】
フォトカプラ８２の受光トランジスタ８２ｂがＯＮ状態となることにより、スイッチング電源制御部３６の作動禁止入力部３６ａが受光トランジスタ８２ｂを介して第１基準電圧ＧＮ1に導通し、スイッチング電源制御部３６によるスイッチング動作が停止する。これにより、電源回路３０から制御回路５０ａへの電力供給が停止する。
【００３７】
また、フォトカプラ６５の受光トライアック６５ｂがＯＮ状態となることにより、非接地電源ラインＬが抵抗１９を介して接地電源ラインＮに短絡して、漏電遮断制御部１３により遮断リレー１１がＯＦＦされ、商用電源２から電源回路３０への電力供給が停止する。
【００３８】
以上説明したように、第１電圧監視部５１の作動により、第２直流電圧Ｖｄ2が１５Ｖ以上になったときに、スイッチング電源制御部３６によるスイッチング動作が禁止されて電源回路３０から制御回路５０ａへの電力供給が停止すると共に、漏電遮断制御部１３により遮断リレー１１がＯＦＦして、電源回路３０から制御回路５０ａへの電力供給が停止される。
【００３９】
そのため、フォトカプラ８２又はトランジスタ８３の故障が生じた場合であっても、フォトカプラ６５及びトランジスタ５７の動作により、電源回路３０の故障等により第２直流電圧Ｖｄ2が１５Ｖ以上になったときに、電源回路３０から制御回路５０ａへの電力供給を停止することができる。
【００４０】
また、フォトカプラ６５又はトランジスタ５７の故障が生じた場合であっても、トランジスタ８３及びフォトカプラ８２の動作により、第２直流電圧Ｖｄ2が１５Ｖ以上になったときに、電源回路３０から制御回路５０ａへの電力供給を停止することができる。
【００４１】
したがって、第２直流電圧Ｖｄ2の上昇により、制御回路５０ａを構成する電子部品に過剰な電流が流れて電子部品が過熱し、電子部品を封止する封止材の性能が劣化することをより確実に防止することができる。
【００４２】
ここで、第１電圧監視部５１、トランジスタ５７、フォトカプラ６５、及び抵抗６１により、本発明の電源監視部が構成される。
【００４３】
次に、第２電圧監視部５２は、降圧回路５４から出力される第３直流電圧Ｖｄ3の出力部とトランジスタ８３，５７の制御入力端子間に、抵抗９０とツェナーダイオード９１を直列に接続して構成されている。ツェナーダイオード９１は、端子間電圧が６Ｖ（本発明の上限電圧に相当する）以上になったときにＯＦＦ（遮断状態）からＯＮ（導通状態）に切替わる。
【００４４】
そのため、第２電圧監視部５２は、第３直流電圧Ｖｄ3が６Ｖ以上になったときに、上述した第１電圧監視部５１と同様に、フォトカプラ８２の受光トランジスタ８２ｂをＯＮしてスイッチング電源制御部３６のスイッチング動作を停止し、また、フォトカプラ６５の受光トライアック６５ｂをＯＮして漏電遮断制御部１３により遮断リレー１１をＯＦＦして、電源回路３０から制御回路５０ａへの電力供給を停止する。
【００４５】
ここで、第２電圧監視部５２、トランジスタ５７、フォトカプラ６５、及び抵抗６１により、本発明の電源監視部が構成される。
【００４６】
また、第１電圧監視部５１及び第２電圧監視部５２からトランジスタ５７の制御入力端子に入力される通電信号が、本発明の強制遮断指示信号に相当し、トランジスタ５７及びフォトカプラ６５により非接地電源ラインＬと接地電源ラインＮ間を導通させる構成が、本発明の強制遮断部に相当する。
【００４７】
［第２実施形態］
次に、図２を参照して、本発明の第２実施形態の電源監視機能付き制御ユニット１ｂ（以下、単に制御ユニット１ｂという）について説明する。なお、第１実施形態の制御ユニット１ａと同一の構成については同一の符号を付して説明を省略する。
【００４８】
制御ユニット１ｂは、漏電遮断制御部１３により遮断リレー１１を強制的にＯＦＦさせるための遮断スイッチ７３と、漏電遮断制御部１３により遮断リレー１１をＯＦＦからＯＮに復帰させるための復帰スイッチ７２を漏電対処部１０ｂ側に備えている点で、第１実施形態の制御ユニット１ａと相違する。
【００４９】
遮断スイッチ７３は、非接地電源ラインＬと接地電源ラインＮとの間に、抵抗１９と直列に接続されている。使用者が遮断スイッチ７３を操作すると、遮断スイッチ７３の接点がＯＮして非接地電源ラインＬが抵抗１９を介して接地電源ラインＮに導通するため、漏電遮断制御部１３により遮断リレー１１がＯＦＦされる。
【００５０】
復帰スイッチ７２は、漏電遮断制御部１３の復帰入力部１３ａと接地電源ラインＮとの間に接続されている。遮断リレー１１がＯＦＦであるときに、使用者が復帰スイッチ７２を操作すると、復帰スイッチ７２の接点がＯＮして復帰入力部１３ａが接地電源ラインＮに導通するため、漏電遮断制御部１３により遮断リレー１１がＯＮにされる。
【００５１】
制御回路５０ｂは、第１実施形態の制御回路５０ｂから、遮断スイッチ７０と、復帰スイッチ７１及び復帰スイッチ７１によりフォトカプラ６４を作動させるためのコンデンサ６２，ダイオード６０，抵抗６３を除いた構成となっている。
【００５２】
［第３実施形態］
次に、図３を参照して、本発明の第３実施形態の電源監視機能付き制御ユニット１ｃ（以下、単に制御ユニット１ｃという）について説明する。なお、第１実施形態の制御ユニット１ａ又は第２実施形態の制御ユニット１ｂと同一の構成については、同一の符号を付して説明を省略する。
【００５３】
制御ユニット１ｃは、漏電対処部１０ｃが電源回路３０及び制御回路５０ｃと別体に構成されている点で、第２実施形態の制御ユニット１ｂと相違する。
【００５４】
制御ユニット１ｃにおいて、制御回路５０ｃに実装されたフォトカプラ６５により、漏電対処部１０ｃの非接地電源ラインＬと接地電源ラインＮとを導通させるためには、漏電対処部１０ｃの非接地電源ラインＬ及び接地電源ラインＮと、フォトカプラ６５との間の配線が複雑になる。
【００５５】
そこで、制御回路５０ｃでは、フォトカプラ６５の受光トライアック６５ｂを、抵抗３７を介して非接地電源ラインＬと接地電位部ＦＧ間に接続している。この構成によれば、トランジスタ５７がＯＮしてフォトカプラ６５の受光トライアック６５ｂがＯＮすると、非接地電源ラインＬと接地電源ラインＮがサージアブソーバ１８及び抵抗３７を介して導通する。
【００５６】
そのため、漏電遮断制御部１３により遮断リレー１１がＯＦＦされて、商用電源２から電源回路３０への電力供給が停止する。
【００５７】
［変形例］
制御ユニット１ａ〜１ｃにおいては、制御回路５０ａ，５０ｂ，５０ｃと、漏電対処部１０ａ，１０ｂ，１０ｃとの間の絶縁インターフェース素子としてフォトカプラ６５，８２を用いたが、リレー等の他の種類の絶縁インターフェースを用いてもよい。
【００５８】
また、本実施形態では、外部電源として電力業者から提供される商用電源２を示したが、自家発電装置等の他の種類の外部電源を用いる場合にも、本発明の適用が可能である。
【００５９】
また、本実施形態では、フォトカプラ６５とフォトカプラ８２が同一条件（ツェナーダイオード８５の端子間電圧が１５Ｖ以上になったとき、又はツェナーダイオード９１の端子間電圧が６Ｖ以上になったとき）で作動するようにしたが、フォトカプラ６５とフォトカプラ８２を異なる条件で作動させてもよい。
【符号の説明】
【００６０】
１ａ，１ｂ，１ｃ…電源監視機能付き制御ユニット、２…商用電源（外部電源）、１０ａ，１０ｂ，１０ｃ…漏電対処部、１１…遮断リレー、１３…漏電遮断制御部、３０…電源回路、３３…トランス、３６…スイッチング電源制御部、５０ａ，５０ｂ，５０ｃ…制御回路、５１…第１電圧監視部、５２…第２電圧監視部。
【図１】
2015154668.tif 000003
【図２】
2015154668.tif 000004
【図３】
2015154668.tif 000005